(57)【特許請求の範囲】
【請求項１】
送信機（１０２，４０２）であって、
転送ノード（１０４，４０４）から送信されたフィルタ適応情報（１３０）を受信するための受信部（２０１）と、
（ｉ）入力信号を受信し、（ｉｉ）前記フィルタ適応情報を受信し、（ｉｉｉ）フィルタ済バージョンの入力信号を生成するために前記フィルタ適応情報を使用する、ように構成された適応フィルタ（２０２，３０２）と、
前記入力信号と前記フィルタ済バージョンの入力信号とを含む出力信号を生成するために、前記入力信号と前記フィルタ済バージョンの入力信号とを合成する信号合成部（２０４）と、
前記出力信号を受信するための入力を有する前記転送ノードに前記出力信号を送信するための１以上の送信アンテナ（２１２）と、
を含み、
前記適応フィルタは、前記転送ノードの出力から送信され前記転送ノードの前記入力で受信された信号によって生じる干渉を前記フィルタ済バージョンの入力信号が低減するように、前記フィルタ適応情報を使用するように構成されることを特徴とする送信機。
【請求項２】
前記送信機は、前記出力信号を送信するために単一の送信アンテナのみを使用するように構成されることを特徴とする請求項１に記載の送信機。
【請求項３】
前記送信機は、前記出力信号を送信するために２以上の送信アンテナを使用するように構成され、前記出力信号はベクトルであることを特徴とする請求項１に記載の送信機。
【請求項４】
前記適応フィルタは、前記フィルタ適応情報に基づいて１以上のフィルタ重みを調整するように構成され、これにより、前記転送ノードの前記出力から送信され前記転送ノードの前記入力で受信された信号によって生じる干渉を低減するように構成された前記フィルタ済バージョンの入力信号を生成することを特徴とする請求項１乃至３の何れか一項に記載の送信機。
【請求項５】
前記フィルタ適応情報は、前記転送ノードの出力−入力チャネルに関する情報と、前記転送ノードの送信電力に関する情報と、の少なくとも一方を含むことを特徴とする請求項１乃至４の何れか一項に記載の送信機。
【請求項６】
前記フィルタ済バージョンの入力信号は、前記転送ノードの出力−入力チャネルの関数であることを特徴とする請求項５に記載の送信機。
【請求項７】
前記適応フィルタは、周波数領域フィルタ（２０２）であることを特徴とする請求項１乃至６の何れか一項に記載の送信機。
【請求項８】
前記適応フィルタは、時間領域フィルタ（３０２）であることを特徴とする請求項１乃至６の何れか一項に記載の送信機。
【請求項９】
フィードバック干渉を低減するための、送信機（１０２，４０２）により実行される方法であって、
転送ノード（１０４，４０４）から送信されたフィルタ適応情報（１３０）を受信するステップと、
前記フィルタ適応情報を使用して適応フィルタ（２０２，３０２）を構成するステップと、
入力信号をフィルタしてフィルタ済バージョンの入力信号を生成するために、前記構成された前記適応フィルタを使用するステップと、
前記入力信号と前記フィルタ済バージョンの入力信号とを含む出力信号を生成するために、前記入力信号と前記フィルタ済バージョンの入力信号とを合成するステップと、
前記出力信号を受信するための入力を有する前記転送ノードに前記出力信号を送信するステップと、
を含み、
前記フィルタ適応情報を使用して適応フィルタを構成する前記ステップは、前記転送ノードの出力から送信され前記転送ノードの前記入力で受信された信号によって生じる干渉を前記フィルタ済バージョンの入力信号が低減するように、前記適応フィルタを構成するステップを含むことを特徴とする方法。
【請求項１０】
前記出力信号を送信する前記ステップは、前記出力信号を送信するために単一の送信アンテナ（２１２）のみを使用するステップを含むことを特徴とする請求項９に記載の方法。
【請求項１１】
前記出力信号を送信する前記ステップは、前記出力信号を送信するために２以上の送信アンテナ（２１２）を使用するステップを含み、前記出力信号はベクトルであることを特徴とする請求項９に記載の方法。
【請求項１２】
前記フィルタ適応情報を使用して適応フィルタを構成する前記ステップは、前記フィルタ適応情報に基づいて１以上のフィルタ重みを調整するステップを含むことを特徴とする請求項９乃至１１の何れか一項に記載の方法。
【請求項１３】
前記適応フィルタは、周波数領域フィルタ（２０２）であることを特徴とする請求項９乃至１２の何れか一項に記載の方法。
【請求項１４】
前記適応フィルタは、時間領域フィルタ（３０２）であることを特徴とする請求項９乃至１２の何れか一項に記載の方法。
【請求項１５】
前記フィルタ適応情報は、前記転送ノードの出力−入力チャネルに関する情報と、前記転送ノードの送信電力に関する情報と、の少なくとも一方を含むことを特徴とする請求項９乃至１４の何れか一項に記載の方法。
【請求項１６】
前記フィルタ済バージョンの入力信号は、前記転送ノードの出力−入力チャネルの関数であることを特徴とする請求項１５に記載の方法。
【請求項１７】
前記転送ノードは、
（１）復号転送（ＤＦ）タイプの転送ノード、
（２）増幅転送（ＡＦ）タイプの転送ノード、
（３）評価転送（ＥＦ）タイプの転送ノード、
のうちの１つであることを特徴とする請求項９乃至１６の何れか一項に記載の方法。
【請求項１８】
前記転送ノードは、等化を実行しないことを特徴とする請求項９乃至１６の何れか一項に記載の方法。
【請求項１９】
合成する前記ステップは、モジュロ格子演算を含むことを特徴とする請求項９乃至１８の何れか一項に記載の方法。
【発明の詳細な説明】
【技術分野】
【０００１】
本発明は通信システムに関するものである。特に、本発明は、フィードバック干渉をキャンセルするシステムおよび方法に関するものである。
【背景技術】
【０００２】
将来の通信システム（例えば、無線／セルラ通信システム）は、とりわけ、カバー範囲の増大および／またはより高いデータレートのサポートを必要とすると考えられる。カバー範囲及びデータレートを強化する方法は、ある種の転送ノード（ＦＮ）（例えばリピータまたはリレー）を使用することである。リピータ及びリレーの利点は、主にそれらが、長距離リンクの２つのリンク（またはホップ）へ分割することから生じる。この分割により、各リンクでのデータレートが増加するだけでなくエンドツーエンドの総合データレートも増加する。
【０００３】
リピータとリレーとの差異は、必ずしも完全に明確であるというわけではない。しばしば、リピータは、信号を受信し増幅し送信する単純な低処理ノードを意味する。この種のノードは、増幅転送（ＡＦ）ノードと呼ばれる。
【０００４】
一方で、リレーは、通常、リピータよりややより高度で複雑であるとみなされる。リレーは、概して、信号を受信し復調し前方誤り訂正（ＦＥＣ）を復号し、そして、信号を再送信するためのリソースを選択する。ここで、信号に含まれるデータを再送信する前に受信信号を復調し復号するノードに対し復号転送（ＤＦ）ノードという用語を使用する。いくつかのリレーは、目的地に受信信号の評価値を転送するかもしれない。この種のリレーは評価転送（ＥＦ）ノードと呼ばれる。少し複雑になるため、リレーという用語は、概して、受信された情報の任意の部分を転送する任意のノードを含むようにしばしば広く用いられる。
【０００５】
周波数変換リピータ（ＦＴＲ）及びオンフレクエンシー（on-frequency）・リピータ（ＯＦＲ）のような多くの異なるタイプのリピータがある。所謂、オンフレクエンシー・リピータは、転送ノードが同一時刻・同一周波数での受信及び送信ができない多くの方式で発生するスループット損失を回避するという点で有利である。ここでは、この損失を複信損失と呼ぶ。周波数変換リピータおよびリレーは、一般に、異なる時間スロットで受信及び送信を行う通常動作により複信損失がある。
【０００６】
オンフレクエンシー動作（これにより同時の受信と送信が可能になる）は、高い入出力アンテナ分離及び能動的自己干渉キャンセルによって達成される。後者は、リピータが、当該リピータにより受信される当該リピータの出力信号（すなわち、リピータ・フィードバック信号）を内部的にキャンセルすることを意味する。
【０００７】
オンフレクエンシー・リピータを使用する欠点は、到来する信号をリピータが増幅可能な利得が制限されるということである。最大の利得は、主に、リピータの出力、リピータの入力、及びフィードバックをキャンセルするための他の手段（例えば内部干渉キャンセルのために提供される任意の減衰器）の間の分離により決定される。出力から入力への分離を更に向上させるいくつかのメカニズムが提案されているが（例えばビーム形成技術およびＭＩＭＯ技術）、オンフレクエンシー・リピータの出力−入力における従来の手段により達成されるよりも大きな分離を望む状況がある。
【０００８】
従って、オンフレクエンシー・リピータの出力−入力における従来の手段により達成されるよりも大きな分離を達成可能なシステム及び方法が望まれる。
【発明の概要】
【０００９】
ある態様では、本発明は、リピータ・フィードバック干渉を低減するための、送信機により実行される方法を提供する。いくつかの実施形態において、当該方法は、転送ノードから送信されたフィルタ適応情報を受信するステップと、前記フィルタ適応情報を使用して適応フィルタ（例えば、時間領域フィルタ又は周波数領域フィルタ）を構成するステップと、入力信号をフィルタしてフィルタ済バージョンの入力信号を生成するために、前記構成された前記適応フィルタを使用するステップと、前記入力信号と前記フィルタ済バージョンの入力信号とを含む出力信号を生成するために、前記入力信号と前記フィルタ済バージョンの入力信号とを合成するステップと、前記出力信号を受信するための入力を有する前記転送ノードに前記出力信号を送信するステップと、を含み、前記フィルタ適応情報を使用して適応フィルタを構成する前記ステップは、前記転送ノードの出力から送信され前記転送ノードの前記入力で受信された信号によって生じる干渉を前記フィルタ済バージョンの入力信号が低減するように、前記適応フィルタを構成するステップを含む。
【００１０】
前記出力信号を送信する前記ステップは、前記出力信号を送信するために単一の送信アンテナのみを使用するステップを含み得、又は、前記出力信号を送信するために２以上の送信アンテナを使用するステップを含み、前記出力信号はベクトルであり得る。
【００１１】
いくつかの実施形態では、前記フィルタ適応情報を使用して適応フィルタを構成する前記ステップは、前記フィルタ適応情報に基づいて１以上のフィルタ重みを調整するステップを含む。いくつかの実施形態では、前記フィルタ適応情報は、前記転送ノードの出力−入力チャネルに関する情報と、前記転送ノードの送信電力に関する情報と、の少なくとも一方を含む。
【００１２】
いくつかの実施形態では、前記フィルタ済バージョンの入力信号は、前記転送ノードの出力−入力チャネルの関数であり、前記転送ノードは、（１）復号転送（ＤＦ）タイプの転送ノード、（２）増幅転送（ＡＦ）タイプの転送ノード、（３）評価転送（ＥＦ）タイプの転送ノード、のうちの１つである。いくつかの実施形態では、前記転送ノードは、等化を実行しない。いくつかの実施形態では、合成する前記ステップは、モジュロ格子演算を含む。
【００１３】
他の態様では、本発明は、リピータ・フィードバック干渉を低減するための送信機を提供する。いくつかの実施形態において、当該送信機は、（１）転送ノードから送信されたフィルタ適応情報を受信するための受信部と、（２）（ｉ）入力信号を受信し、（ｉｉ）前記フィルタ適応情報を受信し、（ｉｉｉ）フィルタ済バージョンの入力信号を生成するために前記フィルタ適応情報を使用する、ように構成された適応フィルタと、（３）前記入力信号と前記フィルタ済バージョンの入力信号とを含む出力信号を生成するために、前記入力信号と前記フィルタ済バージョンの入力信号とを合成する信号合成部と、（４）前記出力信号を受信するための入力を有する前記転送ノードに前記出力信号を送信するための１以上の送信アンテナと、を含む。好適には、前記適応フィルタは、前記転送ノードの出力から送信され前記転送ノードの前記入力で受信された信号によって生じる干渉を前記フィルタ済バージョンの入力信号が低減するように、前記フィルタ適応情報を使用するように構成される。
【００１４】
上述の及び他の態様および実施形態を添付の図面を参照して以下で説明する。
【図面の簡単な説明】
【００１５】
【図１】本発明のいくつかの実施形態に係る通信システムの一部を示す図である。
【図２】本発明のいくつかの実施形態に係る送信ノードの機能ブロック図である。
【図３】本発明の他のいくつかの実施形態に係る送信ノードの機能ブロック図である。
【図４】本発明の他のいくつかの実施形態に係る通信システムの一部を示す図である。
【図５】本発明のいくつかの実施形態に係る処理を示すフローチャートである。
【発明を実施するための形態】
【００１６】
本願明細書に組み込まれ当該明細書の一部を構成する添付の図面は、本発明の各種の実施形態を例示し、更に、明細書の記載と共に本発明の原理を説明し、関連技術の当業者が本発明を利用し使用することを可能にするのに役立つ。図面において、類似の参照番号は、同一又は機能的に類似した要素を示す。
【００１７】
ここで図１を参照する。図１は、本発明のいくつかの実施形態に係る通信システム１００の一部を示す。図示されるように、システム１００は、信号１０８を送信するための送信ノード１０２（例えば基地局）、信号１０８を受信し受信ノード１０６のセット（例えば０台以上の受信ノード）に信号１１０を転送するように構成される転送ノード１０４（例えばＡＦノード、ＤＦノード、ＥＦノードまたは他の転送ノード）を含む。
【００１８】
図１にて示したように、転送ノード１０４の出力１２２から送信される信号１１０は、信号１０８と共に転送ノード１０４の入力１２０で受信され得る。すなわち、信号１１０は、転送ノードの出力−入力チャネルを横断する。この転送ノードの出力−入力フィードバック信号は信号１０８に干渉し得る。
【００１９】
いくつかの実施形態では、この出力−入力フィードバック信号干渉は送信機１０２により補償される。例えば、送信機１０２によって送信される信号１０８が、（１）主要信号又は”所望”の信号（例えば、受信装置１０６に向けられた信号）と、（２）フィルタ済バージョンの主要信号と、の両方を含むように送信機１０２は構成される。フィルタ済バージョンの主要信号を提供するフィルタは、不要な出力−入力フィードバック信号をフィルタ済バージョンの主要信号がキャンセルするか低減するように構成される（例えば、当該フィルタのフィルタ重みが調整される）。
【００２０】
こうして、転送ノード１０４の出力−入力の分離は増加し、自己発振および不安定性が発生する前に利得を増加することが出来る。増加した利得により通信範囲の拡張が可能になる。
【００２１】
いくつかの実施形態においてキャンセルは線形手法（例えば線形重合せ符号化（ＳＰＣ））により達成され、他の実施形態においては非線形方法（ダーティペーパー符号化（ＤＰＣ））により達成される。送信機がＤＰＣを実行する実施形態において、リピータ・フィードバック干渉は、転送ノード１０４の入力１２０で実行される対応するＤＰＣ復号ステップによってキャンセルされる。加えて、いくつかの実施形態において、転送ノード１０４はフィードバック情報１３０を送信機１０２に送信するように構成され、フィードバック情報は主要信号へのフィルタを調整するために送信機によって使用される。
【００２２】
ＤＰＣベースの解決法は電力効率に関してより魅力的であり得るが、説明を簡単にするため、最初に重合せ符号化を使用する本発明の実施形態について説明する。また、転送ノード１０４がＤＦタイプであると仮定する。原則として、転送ノードは等化を実行するＡＦおよびＥＦタイプであり得るが、フィルタ済雑音の項においてＤＦの場合とは対照的である。
【００２３】
周波数領域において、送信機１０２は信号Ｘ（ω）を送信し、ここで、ωは角周波数（直交周波数分割多重（ＯＦＤＭ）送信機においてはωをｋに置換でき。ｋは離散トーンに対する副搬送波インデックスである）である。上述のように、信号Ｘ（ω）は、（１）転送ノード１０４により受信され転送される主要信号Ｓ（ω）と、（２）出力−入力フィードバック信号により生じる干渉をキャンセルするか低減するフィルタ済（そして一般的には多少遅延した）バージョンの主要信号Ｓ（ω）と、を含む。
【００２４】
入力１２０で受信される信号をＲ（ω）で表すと：
Ｒ（ω）＝Ｈ１（ω）Ｘ（ω）＋Ｈ０（ω）Ｙ（ω）＋Ｗ（ω）
であり、ここで、Ｈ１（ω）は送信機が転送ノード１０４にＸ（ω）を送信するのに使用されるチャネルを表し、Ｈ０（ω）は転送ノードの出力−入力チャネルを表し、Ｙ（ω）は転送ノード１０４によって送信される信号であり、Ｗ（ω）は雑音信号を表す。Ｒ（ω）が
0005165798.tif 000002
となることが望ましく、ここで、
0005165798.tif 000003
は送信機１０２の送信電力に対応し、Ｙ（ω）が、
【００２５】
【数１】
0005165798.tif 000004
【００２６】
であるとみなされるとき（転送ノード１０４がＡＦ又はＥＦタイプである場合、数式１に雑音項を補うべきである）、
0005165798.tif 000005
は、転送ノード１０４の送信電力を表し、τは転送ノード１０４での最小の処理遅延であるとき、Ｘ（ω）（無雑音及び前置等価の使用を仮定する）を解くと以下のようになる。
【００２７】
【数２】
0005165798.tif 000006
【００２８】
このように、送信機が上述の定義の通りＸ（ω）を送信するとき、転送ノードの出力−入力干渉はキャンセルされ、主要信号Ｓ（ω）は転送ノード１０４により好適に受信され転送される。数式２は、送信および／または受信ビーム形成を使用する単一ストリームの送信を考慮する場合に使用され得る。
【００２９】
上述したように、転送ノード１０４は、送信機１０２の適応フィルタ２０２（図２を参照）を調整するためにフィードバック情報を使用する送信機１０２にフィードバック情報を送信するかもしれない。ここで図２を参照する。図２は、いくつかの実施形態に係る送信機１０２の機能ブロック図を示す。図２に示した実施形態において、送信機１０２は、周波数領域において動作する適応フィルタ２０２を含む。フィルタ２０２は、信号Ｓ（ω）を受信し、上述したように出力−入力フィードバック信号によって生じる干渉をキャンセルするかまたは低減するように構成されるフィルタ済バージョンのＳ（ω）を提供する。Ｓ（ω）とフィルタ済バージョンのＳ（ω）とは合成器２０４により合成され、合成器２０４は、いくつかの実施形態において加算器を含み、他の実施形態においてモジュロ格子演算を実行するためのモジュロ格子モジュールを更に含む。その結果は、逆高速フーリエ変換モジュール２０６およびサイクリックプレフィックス２０８に提供される。増幅器２０８は、１つ以上のアンテナ２１２を使用して送信される信号を増幅するかもしれない。このように、本発明は、干渉キャンセルする送信機ベースの解決法提供する。
【００３０】
転送ノード１０４がＤＦタイプ（すなわちノードの出力において雑音が無い）であり、ダーティペーパー紙符号化（ＤＰＣ）が使用される場合、当該送信機によって送信される信号に対応する周波数領域表現は以下のようになる。
【００３１】
【数３】
0005165798.tif 000007
【００３２】
ここで、演算子（）Λはモジュロ演算を示し、Ａ＝ＢｍｏｄΛと典型的に書かれる。これは、結果が範囲［−Λ／２、＋Λ／２］に入るまで、信号の実部と虚部それぞれに対してΛの整数を減算することにより、大きさを制限する信号の実部と虚部に対するスカラモジュロ演算子により例えば達成され得る。送信側及び受信側の両方でモジュロ演算の実行が必要であることが強調される。
【００３３】
ＤＰＣ動作の利点は、送信機からリピータへのリンクの動作においてより電力効率の良い結果をもたらす（すなわち、干渉キャンセル信号に対して更なる電力が使用されない）ことである。ＤＰＣ解決法のあり得る不利な点は、時間領域において実行される場合、スペクトルの拡大をもたらす高速過渡を生じうるということである。他のあり得る不利な点は、受信機が（送信機からの）ＤＰＣ信号と（リピータからの）非ＤＰＣ信号との重合せを観測するため、より複雑な受信機を必要とするかもしれないということである。ＯＦＤＭ（Ａ）のコンテキストにおけるあり得る不利な点は、最悪ケースの信号ピークに対して非常に高いΛを必要とし得るということである。これは、高ＰＡＰＲタイプの変調方式のＤＰＣの利点を低減するかもしれない。しかしながら、（雑音レベルの増加を許容することによりＰＡＰＲ低減のためにＯＦＤＭベースのクリッピングが使用される場合のように）いくらかの歪みが許容しうる場合、Λは低減可能でありＤＰＣ方式の電力効率は改善され得る。
【００３４】
本発明は、また、時間領域に対して適用可能である。時間領域において、送信機１０２によって送信される信号は以下のように表され得る。
【００３５】
【数４】
0005165798.tif 000008
【００３６】
ここで、ｆ（ｎ）は、
ｈ１（ｎ）＊ｆ（ｎ）＝ｈ０（ｎ）
となるように選択されるか、又は、同等な、
0005165798.tif 000009
であり、ここで、Ｆはフーリエ変換であり、Ｆ−１はフーリエ逆変換である。
【００３７】
ここで図３を参照すると、図３は、フィルタリングを時間領域で実行する実施形態に係る送信機１０２の機能ブロック図を示す。図３で示したように、送信機１０２は適応時間領域フィルタ３０２を含む。
【００３８】
他の実施形態では、転送ノード１０４はＡＦタイプであり、いかなる等化も実行せず雑音を転送し、送信機１０２はいかなる前置等価も実行しない。この実施形態において、送信機１０２によって送信される信号は周波数領域において以下のように表される。
【００３９】
【数５】
0005165798.tif 000010
【００４０】
ｈ１（ｎ）の両方の相互伝達関数に依存するフィルタ関数ｆ（ｎ）の探索を回避できるため、前置等価を用いないアプローチは特に時間領域の実施態様において魅力的になる。この実施形態において、送信機１０２によって送信される信号は時間領域において以下のように表される。
【００４１】
【数６】
0005165798.tif 000011
【００４２】
前置等価を用いないアプローチは、ＤＰＣを取扱うとき、送信信号Ｘ（ｋ）及びｘ（ｎ）それぞれのＨ１（ｋ）及びｈ１（ｎ）に大きな依存性が無いため、大信号及び丸め誤差の利点を更に有する。このアプローチでは、送信機１０２によって送信される信号は時間領域において以下のように表される。
【００４３】
【数７】
0005165798.tif 000012
【００４４】
他の実施形態では、本発明の態様は、一般に多数アンテナ通信のコンテキストに適用され、特に空間多重ＭＩＭＯ（すなわち多数ストリーム送信）に適用される。図４は、この実施形態を示す。図４に示すように、送信機４０２は、受信ノード４０６のセットに情報を転送する転送ノード４０４への情報の送信に多数のアンテナを使用する。転送ノード４０４での行列フィルタＢ（ｋ）及び送信機４０２での行列フィルタＡ（ｋ）を仮定すると、自己干渉キャンセルに対する条件は、
Ｈ１（ｋ）Ａ（ｋ）＝Ｈ０（ｋ）Ｂ（ｋ）Ｈ１（ｋ）
である。Ｂ（ｋ）は、多くの方法で選択され、例えば
0005165798.tif 000013
である。この実施形態（そして、前置等価が無いと仮定する）において、送信機４０２によって送信される信号は周波数領域において以下のように表される。
【００４５】
【数８】
0005165798.tif 000014
【００４６】
ここで図５を参照すると、図５は、いくつかの実施形態に係る（転送ノード１０４または４０４それぞれによって生じる干渉をキャンセルするために送信機１０２または４０２により実行される）方法５００を示すフローチャートである。方法５００は、ステップ５０２において開始され得、ここで、送信機は、転送ノードからフィードバック情報を受信する。フィードバック情報は、転送ノードの出力−入力チャネルに関する情報と、転送ノードの増幅レベルに関する情報と、の少なくとも一方を含み得る。ステップ５０４において、送信機は、受信されたフィードバック情報を使用してフィルタ（例えば、フィルタ２０２または３０２）を構成する。ステップ５０６において、送信機は、フィルタ済バージョンの入力信号（ｓ’）を提供するために、構成されたフィルタを使用して入力信号（ｓ）をフィルタする。ステップ５０８において、送信機は、出力信号（ｘ）を提供するためにｓおよびｓ’を合成する。ステップ５１０において、送信機は、入力信号とフィルタ済バージョンの入力信号とを含む出力信号を転送ノード（例えばノード１０４または４０４）に送信する。好適には、ステップ５０４において、フィルタは、フィルタ済バージョンの入力信号が、転送ノードの入力で受信される不要な出力−入力信号をキャンセル又は低減するように構成される。このように、干渉キャンセルは送信機で実行される。
【００４７】
上述した干渉キャンセルのシステム／方法を用いて、オンフレクエンシーリピータまたはリレーの自己干渉を低減することが可能となる。これは出力−入力の分離の増大として現れ、それによって、大きな経路損失を克服可能なリピータ増幅ゲインの増加が可能となる。これは、通信範囲の拡大として解釈されうる。さらに、ＤＰＣの実施形態は、送信機からリピータへの経路を介した干渉キャンセル信号の送信を電力効率の良い方法を提供する。
【００４８】
本発明の各種の実施形態について述べたが、これらは単に例示であり制限するものでは無いと理解されるべきである。したがって、本発明の広がりおよび範囲は、上述の例示的実施形態のの何れかによって制限されるべきではない。
【００４９】
加えて、上述し図面に示された処理は一連のステップとして示されているが、これは単に説明のためのものである。したがって、いくつかのステップが加えられ得、いくつかのステップが省略され得る、ステップの順序が再編成され得、そして、いくつかのステップが並列に実行され得ると考えられる。
【図１】
0005165798.tif 000015
【図２】
0005165798.tif 000016
【図３】
0005165798.tif 000017
【図４】
0005165798.tif 000018
【図５】
0005165798.tif 000019